(57)【特許請求の範囲】
【請求項１】
樹脂シートにより上部に開口を有する袋状に形成された袋本体を備える包装袋であって、
前記袋本体は、その両側縁部分が互いに接近するように屈曲された屈曲形状をなし、
前記袋本体の両側縁部分を補強する補強部材と、前記袋本体を屈曲形状にて固定するための固定構成とを備え、
前記固定構成は、一方の側縁部分を補強する前記補強部材に設けられる板状の第１係合部と、他方の側縁部分を補強する前記補強部材に設けられ、前記第１係合部と係合する板状の第２係合部とを備え、
前記第１係合部及び前記第２係合部の基端部分には、前記第１係合部及び前記第２係合部を屈曲可能とする薄肉部分が設けられていることを特徴とする包装袋。
【発明の詳細な説明】
【技術分野】
【０００１】
本発明は、樹脂シートから形成される包装袋に関する。
【背景技術】
【０００２】
近年、プラスチックボトルやガラス瓶等のボトル容器に代えて、樹脂シートを袋状に形成した包装袋が容器として使用されている。樹脂シートから形成される包装袋は、プラスチックボトルやガラス瓶等のボトル容器に比べて省資源化が可能であり、また使用後に小さく折り畳むことができるため、ごみの減容化にも寄与する。
【０００３】
上記包装袋としては、例えば特許文献１に開示される包装袋が知られている。特許文献１の包装袋は、底面シートと一対の側面シートとからなり、二つ折りにした底面シートを一対の側面シートの間に挟み込ませた状態として、底面シート及び側面シートの各側縁を熱溶着することにより袋状に形成されている。また、特許文献１の包装袋には、中折れの防止や自立性の向上を目的として、両側縁部分に柱状の補強部材が取り付けられている。
【先行技術文献】
【特許文献】
【０００４】
【特許文献１】特開２００３−１９１９６４号公報
【発明の概要】
【発明が解決しようとする課題】
【０００５】
ところで、上記包装袋は樹脂シートから形成されていることから、剛性が低く変形させやすいという性質を有する。こうした性質を有する上記包装袋には、廃棄時に空の包装袋を小さく折り畳むことができる等の利点がある一方で、内容物を取り出すために包装袋を把持した際に、包装袋が潰れやすくなって把持状態の安定性が低下するという問題もある。
【０００６】
この発明は、こうした従来の実情に鑑みてなされたものであり、その目的は、把持した際の安定性を向上させた包装袋を提供することにある。
【課題を解決するための手段】
【０００７】
上記の目的を達成するために請求項１に記載の包装袋は、樹脂シートにより上部に開口を有する袋状に形成された袋本体を備える包装袋であって、前記袋本体は、その両側縁部分が互いに接近するように屈曲された屈曲形状をなし、前記袋本体の両側縁部分を補強する補強部材と、前記袋本体を屈曲形状にて固定するための固定構成とを備え、前記固定構成は、一方の側縁部分を補強する前記補強部材に設けられる板状の第１係合部と、他方の側縁部分を補強する前記補強部材に設けられ、前記第１係合部と係合する板状の第２係合部とを備え、前記第１係合部及び前記第２係合部の基端部分には、前記第１係合部及び前記第２係合部を屈曲可能とする薄肉部分が設けられていることを特徴とする。
【０００８】
上記構成によれば、袋本体が屈曲形状とされる、即ち上面視において丸められたような形状とされることにより、厚さ方向に重なる樹脂シートの枚数が多くなって、袋本体の厚さ方向の剛性が高められる。これにより、包装袋を把持した際に袋本体が容易に潰れてしまうことが抑制され、一定の反力を感じつつ安定して把持することができるようになる。また、袋本体が屈曲形状とされていない包装袋と比較して、袋本体が屈曲形状とされて丸められた包装袋は、掌の中に収まりやすくなって持ちやすくなる。包装袋の持ちやすさが良好となることによっても、包装袋を把持した際の安定性が向上する。
【０００９】
また、上記構成によれば、袋本体の屈曲形状を安定して維持することができる。
【００１０】
また、上記構成によれば、補強部材によって袋本体の中折れが防止されるとともに包装袋の自立性が向上する。さらに、固定構成と補強部材とを一体に設けることにより、補強部材と同時に固定構成を容易に形成することができるとともに、包装袋を形成するための部品点数を少なくすることができる。
【発明の効果】
【００１１】
本発明の包装袋によれば、把持した際の安定性を向上させることができる。
【図面の簡単な説明】
【００１２】
【図１】（ａ）〜（ｃ）はそれぞれ第１実施形態の包装袋（屈曲形状）の斜視図、上面図、及び下面図。
【図２】第１実施形態の包装袋の分解斜視図。
【図３】第１実施形態の包装袋（非屈曲形状）の斜視図。
【図４】第２実施形態の包装袋（非屈曲形状）の部分斜視図。
【図５】第２実施形態の包装袋（屈曲形状）の部分斜視図。
【図６】第３実施形態の包装袋の斜視図。
【図７】（ａ）は固定部材の斜視図、（ｂ）は別例の固定部材の斜視図。
【図８】（ａ）〜（ｃ）は別例の第１係合部及び第２係合部を示す図。
【図９】（ａ）〜（ｃ）は別例の第１係合部及び第２係合部を示す図。
【図１０】（ａ），（ｂ）は別例の第１係合部及び第２係合部を示す図。
【発明を実施するための形態】
【００１３】
［第１実施形態］
以下、第１実施形態の包装袋１を図１〜３に基づいて説明する。
第１実施形態の包装袋１は、樹脂シートにより袋状に形成される袋本体１０と、袋本体１０の上部開口に取り付けられる口具２０と、袋本体１０の両側縁部分に取り付けられる一対の補強部材３０ａ，３０ｂとを備えている。
【００１４】
図２に示すように、袋本体１０は、折り目が上方を向くように二つ折りにされた横長の略長方形状の底面シート１１と、その底面シート１１を挟み込むように対向配置された一対の縦長の長方形状の側面シート１２とから構成されている。そして、口具２０の下部に設けられる接着部２１及び二つ折りにされた底面シート１１全体を挟んで一対の側面シート１２を重ね合わせた状態として、側面シート１２の上下及び左右の各縁部がそれぞれ接着されて、上方に口具２０（開口）を有する袋状に形成されている。
【００１５】
具体的には、図３に示すように、袋本体１０の上縁においては、口具２０の接着部２１の外面と側面シート１２の内面とが接着されるとともに、側面シート１２の内面同士が一定幅で接着されている。袋本体１０の左右の両側縁においては、側面シート１２の内面同士が一定幅で接着されている。袋本体１０の下縁においては、側面シート１２の内面と底面シート１１の外面とが、上下方向において円弧状に凹んだ曲線と側面シート１２の左縁、右縁及び下縁とによって囲まれた領域にて接着されている。
【００１６】
また、図２及び３に示すように、袋本体１０の両側縁部分には、一対の補強部材３０ａ，３０ｂが取り付けられている。両補強部材３０ａ，３０ｂは、袋本体１０の上縁の端部から側縁部分に沿って延びる柱状に形成されるとともに、袋本体１０の上縁及び側縁の接着部分を外側から覆う横断面コ字状（溝状）に形成されている。そして、両補強部材３０ａ，３０ｂは、袋本体１０の上縁及び側縁の接着部分に対して一体に形成されている。
【００１７】
図２及び３に示すように、一方側の補強部材３０ａの背面の上部には、略円柱突起形状をなす第１係合部３２が外方に向けて突出形成されている。第１係合部３２の先端には、先端側から基端側に向かって拡径された拡径部３２ａが設けられ、第１係合部３２は全体として側面視矢印形状に形成されている（図１（ａ）参照）。一方、他方側の補強部材３０ｂの背面の上部には、略半円板形状をなす第２係合部３３が外方に向けて突出形成されている。第２係合部３３の基端部分は薄肉に形成されて、ヒンジとして機能するように構成されている。また、第２係合部３３の中央部には、第１係合部３２の拡径部３２ａの最大径部と略同径の貫通孔３３ａが設けられている。
【００１８】
次に、本実施形態の作用について説明する。
上記のとおり構成された本実施形態の包装袋１は、図１に示すように、両側縁部分を接近させるように袋本体１０を屈曲させた屈曲形状、即ち上面視において略Ｃ字状に丸められたような形状とするとともに、その屈曲形状を維持（固定）することができる。具体的には、袋本体１０の両側縁部分を、袋本体１０を構成する一方の側面シート１２側に屈曲させて、両側縁部分に取り付けられている補強部材３０ａ，３０ｂを互いに接近させる。そして、他方側の補強部材３０ｂに設けられた第２係合部３３の貫通孔３３ａに対して、一方側の補強部材３０ａに設けられた第１係合部３２を挿通させて、第１係合部３２と第２係合部３３とを係合させる。
【００１９】
これにより、補強部材３０ａ，３０ｂ同士が接近した状態で係合されて、包装袋１は図１に示すような袋本体１０が屈曲形状とされた状態で固定される。なお、本実施形態においては、第１係合部３２及び第２係合部３３が、補強部材３０ａ，３０ｂ同士を係合させて袋本体１０を屈曲形状にて固定する固定構成（第１固定構成）となる。
【００２０】
屈曲形状とされた袋本体１０の両側縁部分は、その上縁部分においては口具２０の接着部２１の縁に沿って屈曲され、下方側に向かって徐々に接近していく。そして、第１係合部３２と第２係合部３３との係合部位において最接近し、そこから下方側に向かって徐々に離間するような形状となっている。つまり、袋本体１０が屈曲形状である包装袋１は、図１（ｂ）に示すように上部側の屈曲度合が大きく、且つ図１（ｃ）に示すように下部側の屈曲度合が小さい略円錐形状となっている。
【００２１】
屈曲形状の包装袋１は、袋本体１０部分が上面視において丸められたような形状とされることにより、厚さ方向に重なる側面シート１２の枚数が多くなって、袋本体１０の厚さ方向の剛性が高められる。これにより、包装袋１を把持した際に袋本体１０が容易に潰れてしまうことが抑制される。なお、本実施形態の包装袋１は、上記第１固定構成である第１係合部３２と第２係合部３３との係合状態を解除することによって、図１に示す屈曲形状から、図３に示す非屈曲形状に戻すことも可能である。
【００２２】
次に、本実施形態における効果について、以下に記載する。
（１）包装袋１は、樹脂シートにより上部に開口を有する袋状に形成された袋本体１０を備えている。袋本体１０は、その両側縁部分が互いに接近するように屈曲された屈曲形状をなしている。
【００２３】
上記構成によれば、厚さ方向に重なる側面シート１２の枚数が多くなって、袋本体１０の厚さ方向の剛性が高められる。これにより、包装袋１を把持した際に袋本体１０が容易に潰れてしまうことが抑制され、一定の反力を感じつつ安定して把持することができるようになる。また、袋本体１０が非屈曲形状である包装袋１と比較して、袋本体１０が屈曲形状とされて丸められた包装袋１は、掌の中に収まりやすくなって持ちやすくなる。包装袋１の持ちやすさが良好となることによっても、包装袋１を把持した際の安定性が向上する。さらには、丸められた形状となることによって、包装袋１の自立性も向上する。また、袋本体１０が屈曲形状とされた包装袋１は、側面視においてビンのような外観形状となり、意匠性にも優れている。
【００２４】
（２）袋本体１０を屈曲形状にて固定するための固定構成として、第１係合部３２及び第２係合部３３を設けている。上記構成によれば、袋本体１０の屈曲形状を安定して維持することができる。
【００２５】
（３）袋本体１０の両側縁部分を補強する補強部材３０ａ，３０ｂを備えている。上記構成によれば、補強部材３０ａ，３０ｂによって袋本体１０の中折れが防止されるとともに包装袋１の自立性が向上する。
【００２６】
（４）補強部材３０ａ，３０ｂに対して第１係合部３２及び第２係合部３３（第１固定構成）を設けるとともに、第１係合部３２及び第２係合部３３は補強部材３０ａ，３０ｂ同士を係合させるように構成されている。上記構成によれば、既存の部材である補強部材３０ａ，３０ｂに対して、第１固定構成を一体に設けることにより、補強部材３０ａ，３０ｂと同時に第１固定構成を容易に形成することができる。また、包装袋１を形成するための部品点数を少なくすることができる。
【００２７】
（５）図１（ｂ）に示すように、袋本体１０が屈曲形状である包装袋１は、第１係合部３２及び第２係合部３３の近傍において、補強部材３０ａ，３０ｂの側面同士が対向している。上記構成によれば、補強部材３０ａ，３０ｂの背面同士が対向する構成と比較して、袋本体１０の屈曲度合をより大きくすることができる。
【００２８】
（６）第１係合部３２及び第２係合部３３による固定状態を解除して、包装袋１を非屈曲形状とすることが可能となっている。上記構成によれば、例えば、保管時は保管スペースを考慮して非屈曲形状とし、使用時は把持しやすい屈曲形状とする、というように状況に応じた形状の使い分けを行うことが可能となり、包装袋１の使い勝手が向上する。
【００２９】
（７）屈曲形状に固定された袋本体１０は、上部側の屈曲度合が大きく、下部側の屈曲度合が小さい略円錐形状となっている。上記構成によれば、包装袋１の自立性が更に向上する。
【００３０】
［第２実施形態］
以下、第２実施形態の包装袋２を図４及び５に基づいて説明する。なお、本例は第１実施形態の固定構成（第１固定構成）の構成を変更した実施形態であって、他の基本的な構成は第１実施形態と同じである。よって、同一部分に関しては同一符号を付して詳しい説明を省略し、異なる部分についてのみ説明する。
【００３１】
図４に示すように、本実施形態の包装袋２に備えられる口具２０の外周面には、フランジ２２が設けられるとともに、フランジ２２の縁部には第３係合部２３が設けられている。第３係合部２３は、フランジ２２から側方（側面シート１２側）に延びる基部２３ａと、その基部２３ａの先端から下方に延びる先端部２３ｂとを備える断面Ｌ字状に形成されている。そして、第３係合部２３の先端部２３ｂの外面側中央部には、略円柱突起形状をなす二本の係合突起２４が左右に並ぶように突出形成されている。各係合突起２４の先端には、先端側から基端側に向かって拡径された拡径部２４ａが設けられ、各係合突起２４は全体として側面視矢印形状に形成されている。
【００３２】
また、包装袋２の袋本体１０の両側縁部分に取り付けられている補強部材３０ａ，３０ｂの各背面の上部には、略半円板状をなす第４係合部３４がそれぞれ外方に向けて突出形成されている。そして、第４係合部３４の中央部には、第３係合部２３に設けられる係合突起２４の拡径部２４ａの最大径部と略同径の貫通孔３４ａが設けられている。
【００３３】
次に、本実施形態の作用について説明する。
上記のとおり構成された本実施形態の包装袋２は、図５に示すように、両側縁部分を接近させるように袋本体１０を屈曲させた屈曲形状とするとともに、その屈曲形状を維持（固定）することができる。具体的には、袋本体１０の両側縁部分を、第３係合部２３が設けられている側の側面シート１２側に屈曲させて、両側縁部分に取り付けられている補強部材３０ａ，３０ｂを互いに接近させる。そして、口具２０に設けられた第３係合部２３の各係合突起２４を、両補強部材３０ａ，３０ｂに設けられた第４係合部３４の貫通孔３４ａに挿通させて、第３係合部２３と第４係合部３４とを係合させる。
【００３４】
これにより、補強部材３０ａ，３０ｂ同士が接近した状態で、補強部材３０ａ，３０ｂと口具２０とが係合されて、包装袋１は図５に示すような袋本体１０が屈曲形状とされた状態で固定される。なお、本実施形態においては、第３係合部２３及び第４係合部３４が、補強部材３０ａ，３０ｂと口具２０とを係合させて袋本体１０を屈曲形状にて固定する固定構成（第２固定構成）となる。また、本実施形態においても、上記第２固定構成である第３係合部２３と第４係合部３４との係合状態を解除することによって、図５に示す屈曲形状から、図４に示す非屈曲形状に戻すことが可能である。
【００３５】
第２実施形態の包装袋２の構成によれば、第１実施形態における（１）〜（３）、（６）、（７）の効果に加え、以下に記載の効果を得ることができる。
（８）口具２０及び補強部材３０ａ，３０ｂに対して、それぞれ第３係合部２３及び第４係合部３４（第２固定構成）を設けるとともに、第３係合部２３及び第４係合部３４は口具２０に対して補強部材３０ａ，３０ｂを係合させるように構成されている。上記構成によれば、既存の部材である口具２０及び補強部材３０ａ，３０ｂに対して、第２固定構成を一体に設けることにより、口具２０及び補強部材３０ａ，３０ｂと同時に第２固定構成を容易に形成することができる。また、包装袋２を形成するための部品点数を少なくすることができる。
【００３６】
（９）図５に示すように、袋本体１０が屈曲形状である包装袋２は、第４係合部３４の近傍において、補強部材３０ａ，３０ｂの背面同士が対向している。上記構成によれば、補強部材３０ａ，３０ｂの側面同士が対向する構成と比較して、包装袋２を屈曲形状としたときに各補強部材３０ａ，３０ｂに作用する捻じれ方向の負荷が低減される。そのため、各補強部材３０ａ，３０ｂを形成する材料として、より柔軟性の低い材料を選択することも可能となり、材料選択の自由度が高まる。
【００３７】
［第３実施形態］
以下、第３実施形態の包装袋３を図６及び７に基づいて説明する。なお、本例は第１実施形態の固定構成（第１固定構成）の構成を変更した実施形態であって、他の基本的な構成は第１実施形態と同じである。よって、同一部分に関しては同一符号を付して詳しい説明を省略し、異なる部分についてのみ説明する。
【００３８】
本実施形態の包装袋３は、袋本体１０とは別に構成される固定部材４０を備えている。図６及び図７（ａ）に示すように、固定部材４０は帯状シートの両端部を接着して形成される環状の部材であって、屈曲形状とされた袋本体１０の外周に上方又は下方側から装着される部材である。図６に示すように、固定部材４０が装着された袋本体１０は、固定部材４０により屈曲形状で拘束された状態となる。そして、袋本体１０は、屈曲形状から非屈曲形状に戻ろうとする動きが規制されて屈曲形状にて固定される。本実施形態においては、固定部材４０が、袋本体１０を拘束することにより屈曲形状にて固定する固定構成（第３固定構成）となる。本実施形態においても、固定部材４０を取り外すことによって、図６に示す屈曲形状から、図３に示すような非屈曲形状に戻すことが可能である。
【００３９】
第３実施形態の包装袋３の構成によれば、第１実施形態における（１）〜（３）、（６）、（７）の効果に加え、以下に記載の効果を得ることができる。
（１０）袋本体１０とは別に構成される固定部材４０を備え、この固定部材４０により袋本体１０を拘束することによって、袋本体１０を屈曲形状にて固定するように構成している。上記構成によれば、特殊な形状の補強部材３０ａ，３０ｂや口具２０を用いることなく、従来の包装袋をそのまま使用することができるため、容易に製造することができる。
【００４０】
なお、上記各実施形態は、次のように変更して具体化することも可能である。また、次の変更例を互いに組み合わせ、その組み合わせの構成のように上記各実施形態を変更することも可能である。
【００４１】
・  第１固定構成は、補強部材３０ａ，３０ｂ同士を係合させて袋本体１０の屈曲形状を固定可能な構成であればよく、第１実施形態の構成に限定されるものではない。例えば、第１固定構成としての第１係合部３２及び第２係合部３３を、図８〜１０に示す係合関係を形成するような構成としてもよい。
【００４２】
図８に示す例では、第１係合部３２及び第２係合部３３は共に略半円板形状に形成されている（図８（ａ）及び（ｂ）参照）。そして、第１係合部３２には、一方側の側面から突出するとともに先端部分が内側に屈曲された形状をなす引掛部３２ｂが設けられている。また、第２係合部３３には引掛部３２ｂの先端部分を挿通可能な貫通孔３３ｂが設けられている。
【００４３】
上記構成とした場合、図８（ｃ）に示すように、袋本体１０の両側縁部分を、第１係合部３２の引掛部３２ｂが突出形成されていない側の側面シート１２側に屈曲させて、両側縁部分に取り付けられている補強部材３０ａ，３０ｂを互いに接近させる。そして、第２係合部３３の貫通孔３３ｂに対して、第１係合部３２に設けられた引掛部３２ｂの先端部分を挿通させ、貫通孔３３ｂに引掛部３２ｂの先端部分を引っ掛けることによって、第１係合部３２と第２係合部３３とが係合された状態となる。
【００４４】
図９に示す例では、第１係合部３２及び第２係合部３３は共に、略半円板形状に形成されるとともに、各基端部分が薄肉に形成されて、ヒンジとして機能するように構成されている（図９（ａ）及び（ｂ）参照）。そして、第１係合部３２の中央部には貫通孔３２ｃが設けられるとともに、第２係合部３３の中央部には一方側の側面から突出する係合突起３３ｃが設けられている。なお、貫通孔３２ｃの径は係合突起３３ｃの外径と略同径に設定されている。
【００４５】
上記構成とした場合、図９（ｃ）に示すように、袋本体１０の両側縁部分を、第２係合部３３の係合突起３３ｃが突出形成されていない側の側面シート１２側に屈曲させて、両側縁部分に取り付けられている補強部材３０ａ，３０ｂを互いに接近させる。そして、第１係合部３２及び第２係合部３３の各基端部分を湾曲させつつ、第１係合部３２の貫通孔３２ｃに対して、第２係合部３３の係合突起３３ｃを嵌合させることによって、第１係合部３２と第２係合部３３とが係合された状態となる。
【００４６】
図１０に示す例は、図９に示す例における第１係合部３２の貫通孔３２ｃ及び第２係合部３３の係合突起３３ｃの形状を変更した例である。図１０（ａ）に示すように、本例の第１係合部３２の貫通孔３２ｃは矩形状に形成されている。そして、第１係合部３２の一方側の側面の先端部分には貫通孔３２ｃに連続する溝部３２ｄが設けられている。図１０（ｂ）に示すように、本例の第２係合部３３は、先端部分が、上記貫通孔３２ｃと略同形状の矩形状に形成されている。そして、その矩形状の先端部分全体が厚肉に形成されて係合突起３３ｃを構成している。なお、第２係合部３３におけるヒンジ様の薄肉部分を除く基端部分３３ｄの厚さは、第１係合部３２の溝部３２ｄの深さと略同じに設定されるとともに、係合突起３３ｃである先端部分の厚さは、貫通孔３２ｃが形成される第１係合部３２の厚さと略同じに設定されている。
【００４７】
上記構成とした場合には、図９に示す例（図９（ｃ）参照）と同様に、第１係合部３２の貫通孔３２ｃに対して、第２係合部３３の係合突起３３ｃを嵌合させることによって、第１係合部３２と第２係合部３３とが係合された状態となる。このとき、第２係合部３３の係合突起３３ｃは、第１係合部３２の貫通孔３２ｃから突出することなく貫通孔３２ｃ内に収容される。そのため、包装袋１を把持した際に、係合突起３３ｃ部分が手に当たることが防止されて好適に把持することができる。また、第１係合部３２と第２係合部３３との係合時においては、第２係合部３３の基端部分３３ｄが第１係合部３２の溝部３２ｄ内に収容された状態となるため、係合部分全体の厚みをより薄くすることができる。さらには、第１係合部３２及び第２係合部３３の厚みを補強部材３０ａ，３０ｂの厚みよりも薄く設定すると、非屈曲形状の包装袋１を多数、積み上げて保管するような場合に、第１係合部３２同士又は第２係合部３３同士が干渉することがなく、好適に積み上げることができる。
【００４８】
・  第１実施形態では、補強部材３０ａ，３０ｂの上部に第１固定構成を配置していたが、補強部材３０ａ，３０ｂの中央部や下部に第１固定構成を配置してもよい。また、補強部材３０ａ，３０ｂに対して、複数組の第１固定構成を上下に並べて配置してもよい。
【００４９】
・  第２固定構成は、口具２０に対して補強部材３０ａ，３０ｂを係合させて袋本体１０の屈曲形状を固定可能な構成であればよく、第２実施形態の構成に限定されるものではない。例えば、第３係合部２３側に貫通孔を設けるとともに第４係合部３４側に係合突起を設ける構成としてもよい。また、図８〜１０に示すような係合構成を採用してもよい。
【００５０】
・  第３固定構成は、袋本体１０を拘束することによって袋本体１０の屈曲形状を固定可能な構成であればよく、第３実施形態の構成に限定されるものではない。例えば、包装袋１の表面に貼り付けられる製品内容等を表示するラベルを固定部材４０として利用してもよい。また、第３固定構成としての固定部材４０の構成は、図７（ａ）に示すような環状のシート部材に限定されるものではなく、例えば、図７（ｂ）に示すような紐状の部材であってもよい。
【００５１】
・  固定構成は、袋本体１０の屈曲形状を固定可能な構成であればよく、第１〜３固定構成に限定されるものではない。例えば、袋本体１０の両側縁の接着部分にそれぞれ孔を設けるとともに、その孔同士を環状部材や紐によって結び付けて、袋本体１０の両側縁部分を係合させることにより袋本体１０を屈曲形状にて固定する構成としてもよい。
【００５２】
・  固定構成を構成する部位にノッチを付ける等して、固定構成によって固定される袋本体１０の屈曲度合を段階的に調節可能な構成としてもよい。
・  各実施形態では、袋本体１０を屈曲形状から非屈曲形状に変形可能に構成していたが、非屈曲形状に変形させることが不可能な構成であってもよい。例えば、補強部材３０ａ，３０ｂ同士、或いは口具２０と補強部材３０ａ，３０ｂとを、或いは袋本体１０の両側縁の接着部分同士を接着剤や溶着等により一体に固定して、袋本体１０が屈曲形状のみをとることのできる構成としてもよい。
【００５３】
・  例えば、第１固定構成と第２固定構成を同時に設ける、というように複数種の固定構成を組み合わせて設けてもよい。
・  袋本体１０が屈曲形状である包装袋１の全体形状は、略円錐形状に限定されるものではない。例えば、上下において全て屈曲度合が等しい円柱形状であってもよいし、上部側ほど屈曲度合の小さい略逆円錐形状であってもよい。
【００５４】
・  袋本体１０の屈曲形状、即ち両側縁部分が互いに接近するように屈曲された屈曲形状とは、上面視において略Ｃ字状に丸めたような形状だけではなく、更に各側縁部分が内側又は外側に屈曲されたような形状（例えば、Ω字状やＳ字状）も含む概念である。
【００５５】
・  固定構成を設けない構成としてもよい。例えば、横幅の異なる側面シート１２を用いて、袋本体１０そのものを始めから屈曲形状となるように形成してもよい。
・  袋本体１０は、樹脂シートにより上部に開口を有する袋状に形成されるものであればよく、袋本体１０を構成する各樹脂シートの具体的構成は特に限定されるものではない。例えば、底面シート１１を省略して一対の側面シート１２のみから袋本体１０を形成してもよい。なお、上部に開口を有するとは、袋本体１０の上縁部分に開口が形成されている構成に限定されるものではなく、側面シート１２の上部に対して開口となる部分が形成されている構成も含む概念である。
【００５６】
・  第３実施形態のように、口具２０や補強部材３０ａ，３０ｂを固定構成として利用しない構成とした場合には、口具２０や補強部材３０ａ，３０ｂを適宜、省略することもできる。
【００５７】
次に、上記実施形態及び別例から把握できる技術的思想について記載する。
（イ）  前記袋本体の両側縁部分を補強する補強部材を備え、前記固定構成は、前記補強部材に設けられるとともに、前記補強部材同士を係合させることにより前記袋本体を屈曲形状にて固定する前記包装袋。
【００５８】
（ロ）  前記袋本体の開口に取り付けられる口具と、前記袋本体の両側縁部分を補強する補強部材とを備え、前記固定構成は、前記口具及び前記補強部材に設けられるとともに、前記口具に対して前記補強部材を係合させることにより前記袋本体を屈曲形状にて固定する前記包装袋。
【００５９】
（ハ）  前記固定構成として、前記袋本体を屈曲形状にて拘束する固定部材を備える前記包装袋。
（ニ）  前記固定構成による固定状態を解除して前記袋本体を非屈曲形状とすることが可能である前記包装袋。
【符号の説明】
【００６０】
１，２，３…包装袋、１０…袋本体、１１…底面シート、１２…側面シート、２０…口具、２１…接着部、２３…第３係合部、３０ａ，３０ｂ…補強部材、３２…第１係合部、３３…第２係合部、３４…第４係合部、４０…固定部材。
【図１】
0005925488.tif 000002
【図２】
0005925488.tif 000003
【図３】
0005925488.tif 000004
【図４】
0005925488.tif 000005
【図５】
0005925488.tif 000006
【図６】
0005925488.tif 000007
【図７】
0005925488.tif 000008
【図８】
0005925488.tif 000009
【図９】
0005925488.tif 000010
【図１０】
0005925488.tif 000011